(57)【要約】【課題】生体音収集装置の押し当て状態を検出し、被験者の生体音を正確に聴診することができる生体音収集装置を提供すること。【解決手段】生体音収集装置は、被験者の生体音を収集する集音部と、前記被験者の生体面への接触を検出する接触状態検出部と、前記接触状態検出部が検出した前記被験者の前記生体面への接触に基づいて、前記集音部に前記生体音を収集させるか否かを判定する制御部と、前記制御部が前記集音部に前記生体音を収集させないと判定した場合、前記接触状態検出部が前記被験者の前記生体面に接触していないことを通知する情報通知部と、を備える。【選択図】図３
2015020030.tif 000002
【特許請求の範囲】
【請求項１】
被験者の生体音を収集する集音部と、
前記被験者の生体面への接触を検出する接触状態検出部と、
前記接触状態検出部が検出した前記被験者の前記生体面への接触に基づいて、前記集音部に前記生体音を収集させるか否かを判定する制御部と、
前記制御部が前記集音部に前記生体音を収集させないと判定した場合、前記接触状態検出部が前記被験者の前記生体面に接触していないことを通知する情報通知部と、
を備えることを特徴とする生体音収集装置。
【請求項２】
前記接触状態検出部は、複数のセンサを含み、
当該複数のセンサは、前記集音部の周縁のそれぞれ異なる箇所に配置され、
前記情報通知部は、
前記複数のセンサのうち、前記被験者の前記生体面への接触を検出しないセンサの箇所を通知すること
を特徴とする請求項１に記載の生体音収集装置。
【請求項３】
前記情報通知部は、発光素子または表示部を備え、
前記複数のセンサのうち、前記被験者の前記生体面への接触を検出しないセンサの箇所に対応する前記発光素子を発光、または前記被験者の前記生体面への接触を検出しない前記センサの箇所を前記表示部に表示させること
を特徴とする請求項２に記載の生体音収集装置。
【請求項４】
前記情報通知部が前記被験者の前記生体面への接触を検出しないセンサの箇所を通知するときの基準指示方向を決定する指示方向設定部
をさらに備え、
前記情報通知部は、前記指示方向設定部により決定された基準指示方向に応じて、前記複数のセンサのうち、前記被験者の前記生体面への接触を検出しないセンサの箇所を音で通知すること
を特徴とする請求項２または請求項３に記載の生体音収集装置。
【請求項５】
前記情報通知部は、前記生体音収集装置の筐体に設けられたアクチュエータを含んで構成され、前記複数のセンサのうち、前記被験者の前記生体面への接触を検出しないセンサの箇所に対応するアクチュエータを隆起させて通知すること
を特徴とする請求項２から請求項４のいずれか一項に記載の生体音収集装置。
【発明の詳細な説明】
【技術分野】
【０００１】
本発明は、生体音収集装置に関する。
【背景技術】
【０００２】
聴診器は、医療現場における聴診の道具として用いられている。例えば、特許文献１に記載の技術は、体表面に取り付けられる生体音センサの音響信号に対する処理を行う生体音収集装置が、音響信号から音響信号に含まれるノイズ成分を抽出するノイズ抽出部と、抽出されたノイズ成分を、生体音センサのそれぞれ異なる取り付け状態と対応した複数のノイズ種類に分類するノイズ分類判定部と、分類の結果に対応した取り付け状態の改善を促がす情報をユーザに提示するノイズ対策案内部と、を有するものである。
【先行技術文献】
【特許文献】
【０００３】
【特許文献１】特開２０１２−２００３８３号公報
【発明の概要】
【発明が解決しようとする課題】
【０００４】
しかしながら、医師などの生体音収集装置の使用者は、被験者の生体面に対して生体音収集装置が傾いて押し当てられている場合、正確に聴診を行えないため、押し当て方を修正する必要がある。しかしながら、特許文献１に記載の技術を用いても、医師などの使用者は、押し当て状態を把握できないため、生体音収集装置の押し当て方を修正することができないという欠点があった。このように、生体音収集装置の押し当て状態がわからず、正確に被験者の生体音を聴診することができないという問題があった。
【０００５】
本発明は上記の点に鑑みてなされたものであり、生体音収集装置の押し当て状態を検出し、被験者の生体音を正確に聴診することができる生体音収集装置を提供することを課題とする。
【課題を解決するための手段】
【０００６】
（１）本発明は上記の課題を解決するためになされたものであり、本発明の第一の態様は、生体音収集装置であって、被験者の生体音を収集する集音部と、前記被験者の生体面への接触を検出する接触状態検出部と、前記接触状態検出部が検出した前記被験者の前記生体面への接触に基づいて、前記集音部に前記生体音を収集させるか否かを判定する制御部と、前記制御部が前記集音部に前記生体音を収集させないと判定した場合、前記接触状態検出部が前記被験者の前記生体面に接触していないことを通知する情報通知部と、を備えることを特徴とする生体音収集装置である。
【発明の効果】
【０００７】
本発明の生体音収集装置によれば、生体音収集装置の押し当て状態を検出し、被験者の生体音を正確に聴診することができる。
【図面の簡単な説明】
【０００８】
【図１】本発明の第１の実施形態に係る生体音収集装置の使用状況の一例を示す概略図である。
【図２】本発明の第１の実施形態に係る生体面への生体音収集装置押し当て状態の一例を示す概略図である。
【図３】本発明の第１の実施形態に係る生体音収集装置の構成の一例を示す概略ブロック図である。
【図４】本発明の第１の実施形態に係る生体音収集装置の提示部における状態情報の通知態様の一例を示す概略図である。
【図５】本発明の第１の実施形態に係る接触状態検出部が測定した測定値と制御部が算出した推定値との関係の一例を示すテーブルである。
【図６】本発明の第１の実施形態に係る生体音収集装置の押し当て状態提示処理の一例を示すフローチャートである。
【図７】本発明の第２の実施形態に係る生体音収集装置の構成の一例を示す概略ブロック図である。
【図８】本発明の第３の実施形態に係る生体音収集装置の構成の一例を示す概略ブロック図である。
【図９】本発明の第３の実施形態に係る生体音収集装置を情報通知面から見たときの上面図の一例と当該生体音収集装置の側面図の一例である。
【発明を実施するための形態】
【０００９】
（第１の実施形態）
以下、図面を参照しながら本発明の第１の実施形態について詳しく説明する。
図１は、本発明の第１の実施形態に係る生体音収集装置１の使用状況の一例を示す概略図である。
【００１０】
生体音収集システムにおける生体音収集状況Ｓ１では、使用者が被験者Ｈ３の生体音を収集するために生体音収集装置１）を被験者Ｈ３の被検部に接触させる。ここで、使用者とは、例えば、医師Ｈ１、医療従事者Ｈ２、または被験者Ｈ３、被験者Ｈ３の介助者などである。使用者が生体音収集装置１を、被験者Ｈ３の生体面Ｈ３１に接触させて聴診するとき、生体音収集装置１は、生体面Ｈ３１への押し当て状態を検出し、適切な押し当て状態でない場合、使用者の視覚、聴覚、触覚に対して当該押し当て状態を通知する。ここで適切な押し当て状態とは、接触面が均一に生体面Ｈ３１に接触している状態である。詳細な説明は、図２を参酌して後述する。
生体音収集装置１は、適切な押し当て状態であると判定した場合、集音部１５（図示せず）が被験者Ｈ３の生体音を収集し、収集した被験者Ｈ３の生体音を、例えば、生体音収集装置１に接続されるイヤホン２に出力する。医師Ｈ１は、生体音収集装置１が収集した被験者Ｈ３の生体音を、イヤホン２を用いて聴き取り、診察する。
【００１１】
なお、例えば、使用者は、生体音収集装置１のみを用いて被験者Ｈ３の生体音を収集し、収集した被験者Ｈ３の生体音を有線または無線を用いて直接またはネットワークを介して外部機器、例えば、コンピュータに出力してもよい。この場合、外部機器が生体音収集装置１から被験者Ｈ３の生体音を取得すると、医師Ｈ１は、被験者Ｈ３の生体音を、外部機器を用いて聴診すればよい。
また、生体音収集装置１とイヤホン２とは、有線で接続されてもよいし、無線で接続されてもよい。
【００１２】
図２は、本発明の第１の実施形態に係る生体面Ｈ３１への生体音収集装置１押し当て状態の一例を示す概略図である。
生体音収集装置１は、一端に接触面ＳＭを有し、他端に情報通知面ＯＳを有する。例えば、接触面ＳＭには、集音部１５と接触状態検出部１２とが配置される。当該接触状態検出部１２は、複数のセンサ、例えば八つのセンサにより構成され、集音部１５の周縁に配置される。また、情報通知面ＯＳには、情報通知部１４が配置される。
図２（ａ）は、使用者が生体面Ｈ３１に対して生体音収集装置１を押し当て、接触面ＳＭの全体を生体面Ｈ３１に適切に接触させたときの一例である。このとき、生体音収集装置１の情報通知部１４は、適切に生体面Ｈ３１に押し当てられていること通知する。
【００１３】
図２（ｂ）は、使用者が生体面Ｈ３１に対して生体音収集装置１を適切に押し当てることができなかったときの一例である。図示するように、生体音収集装置１の接触面ＳＭの一部、例えば、右下部が生体面Ｈ３１に押し当てられ、左下部が押し当てられていない状態となっている。
図２（ｃ）は、生体音収集装置１の下部、すなわち、接触面ＳＭ側から見たときの一例である。
接触面ＳＭには、中央に集音部１５が配置され、当該集音部１５の周縁にセンサが配置される。例えば、集音部１５の周縁を八つの領域に分割し、分割した各領域には、例えば、第１センサ１２１−１、第２センサ１２１−２、第３センサ１２１−３、・・・、第Ｎセンサ１２１−Ｎ（Ｎは整数）のそれぞれが配置される。使用者による生体面Ｈ３１への生体音収集装置１の押し当て方が適切でなく、例えば、第４センサ１２１−４、第５センサ１２１−５が生体面Ｈ３１に押し当てられていない状態であるとき、情報通知部１４は、第４センサ１２１−４、第５センサ１２１−５が生体面Ｈ３１に押し当てられていない状態であることを使用者に通知する。
【００１４】
図２（ｄ）は、生体音収集装置１の上部、すなわち、情報通知面ＯＳ側から見たときの一例である。
情報通知面ＯＳには、情報通知部１４が配置される。例えば、情報通知面ＯＳには、情報通知部１４として複数の発光素子（例えば、八つの発光素子）が配置される。
図２（ｃ）における第６センサ１２１−６、第７センサ１２１−７が生体面Ｈ３１に押し当てられていないとき、情報通知部１４は、当該第６センサ１２１−６、第７センサ１２１−７に対応する発光素子を点灯させる。
【００１５】
図３は、本発明の第１の実施形態に係る生体音収集装置１の構成の一例を示す概略ブロック図である。
生体音収集装置１は、スイッチ部１１と、接触状態検出部１２と、制御部１３と、情報通知部１４と、集音部１５と、データ処理部１６と、を含んで構成される。接触状態検出部１２は、第１センサ１２１−１と、第２センサ１２２−２と、・・・、第Ｎセンサ１２２−Ｎと、を含んで構成される。情報通知部１４は、提示部１４１を含んで構成される。集音部１５は、マイク１５１と、アナログ／デジタル変換部（Ａ／Ｄ部１５２）と、を含んで構成される。データ処理部１６と接続されるイヤホン２は、デジタル／アナログ変換部（Ｄ／Ａ部２１）と、スピーカ２２と、を含んで構成される。
【００１６】
スイッチ部１１は、主電源であり、使用者の操作により入力された操作信号を制御部１３に出力する。
接触状態検出部１２は、例えば、静電容量式のセンサである。接触状態検出部１２は、第１センサ１２１−１、第２センサ１２１−２、・・・、第Ｎセンサ１２１−Ｎ（Ｎは整数）などの複数のセンサを備えるが、それぞれのセンサは、同様の構成であるので、接触状態検出部１２として説明する。接触状態検出部１２は、生体面Ｈ３１への接触による静電容量の変化量を測定値として測定し、当該測定値を制御部１３に出力する。
【００１７】
制御部１３は、接触状態検出部１２から入力された測定値に基づいて、生体音収集装置１が生体面Ｈ３１に押し当てられているか否かを判定する。具体的には、制御部１３は、測定値と閾値とを比較し、測定値が閾値以上である場合、生体面Ｈ３１に押し当てられている（以下、接触状態と称する。）と判定する。また、制御部１３は、測定値が閾値未満である場合、生体面Ｈ３１に押し当てられていない（以下、非接触状態と称する）と判定する。そして、制御部１３は、接触状態を表す情報および非接触状態を表す情報の状態情報に応じて、情報通知部１４に指示信号を出力する。当該状態情報には、接触状態検出部１２を構成する各センサを識別可能なセンサ識別情報が含まれる。
また、状態情報が接触状態を表す情報のみである場合、すなわち、適切に接触面ＳＭが生体面Ｈ３１に押し当てられている場合、制御部１３は、集音部１５に生体音の収集を開始させる開始信号を出力する。
【００１８】
提示部１４１は、複数のＬＥＤ（発光素子：Ｌｉｇｈｔ  Ｅｍｉｔｔｉｎｇ  Ｄｉｏｄｅ）から構成される。提示部１４１は、制御部１３から入力される状態情報に応じた指示信号に基づいて、生体音収集装置１の生体面Ｈ３１への押し当て状態を使用者に通知する。具体的には、提示部１４１は、接触状態検出部１２を構成する各センサに対応するＬＥＤを、状態情報に応じた指示信号に基づいて点灯、消灯させる。提示部１４１の詳細な説明は、図４を参酌して後述する。
【００１９】
集音部１５は、振動板（図示せず）を有し、当該振動板は、被験者Ｈ３の生体面Ｈ３１に当接することで被験者Ｈ３の生体音に応じて振動する。
マイク１５１は、制御部１３から入力される開始信号に基づいて、振動板の振動により生体音を収集し、収集した生体音のアナログ信号を生成する。マイク１５１は、生成したアナログ信号をＡ／Ｄ部１５２に出力する。
Ａ／Ｄ部１５２は、マイク１５１が生成したアナログ信号をデジタル信号に変換する。Ａ／Ｄ部１５２は、変換したデジタル信号をデータ処理部１６に出力する。
【００２０】
データ処理部１６は、Ａ／Ｄ部１５２から入力されたデジタル信号を量子化する。データ処理部１６は、デジタル信号の周波数特性の変更、デジタル信号の特定の周波数帯域の強調または減少などのデータ処理を行う。また、データ処理部１６は、生体音を雑音と分離するために、生体音の周波数帯域、例えば２０Ｈｚ〜６００Ｈｚに合わせたバンドパスフィルタを用い、デジタル信号に対して生体音と雑音とを分離するデータ処理を行う。データ処理部１６は、データ処理したデジタル信号をＤ／Ａ部２１に出力する。
【００２１】
Ｄ／Ａ部２１は、データ処理部１６から入力された生体音を表すデジタル信号をアナログ信号に変換する。Ｄ／Ａ部２１は、変換したアナログ信号をスピーカ２２に出力する。
スピーカ２２は、Ｄ／Ａ部２１から入力された生体音を表すアナログ信号を使用者に通知する。
【００２２】
図４は、本発明の第１の実施形態に係る生体音収集装置１の提示部１４１における状態情報の通知態様の一例を示す概略図である。
図４（ａ）は、図２（ｃ）に図示するセンサの配置例と同様であるので説明は省略する。ここで、制御部１３は第６センサ１２１−６および第７センサ１２１−７が非接触状態と判定したものとして、図４（ｂ）から図４（ｆ）を説明する。
【００２３】
図４（ｂ）は、生体音収集装置１の接触面ＳＭにおける接触状態検出部１２の各センサの配置位置と、情報通知面ＯＳにおける各ＬＥＤの配置位置とが略一致するときの一例である。
図示するように、第１センサ１２１−１は、第１ＬＥＤ１４１−１と対応し、第２センサ１２１−２は、第２ＬＥＤ１４１−２と対応し、第３センサ１２１−３は、第３ＬＥＤ１４１−３と対応する。このように、接触状態検出部１２を構成する各センサとＬＥＤ群を構成する各ＬＥＤとが対応関係にある。
上述のように、制御部１３は、第６センサ１２１−６と第７センサ１２１−７とが非接触状態と判定し、当該第６センサ１２１−６および第７センサ１２１−７に対応する第６ＬＥＤ１４１−６および第７ＬＥＤ１４１−７を点灯させる。
これにより、使用者は、生体面Ｈ３１に対する生体音収集装置１における接触面ＳＭの押し当て状態を、情報通知部１４によりリアルタイムに確認することができ、接触面ＳＭの押し当て方が適切でない場合、容易に押し当て方を修正することができる。
【００２４】
図４（ｃ）は、生体音収集装置１の接触面ＳＭにおける接触状態検出部１２の各センサの配置位置と情報通知面ＯＳにおける各ＬＥＤの配置位置とが角度θずれるときの一例である。
例えば、図４（ａ）に示す第８センサ１２１−８の配置位置に対して、図４（ｃ）に示すように第８センサ１２１−８に対応するＬＥＤが、角度θ回転した位置に配置される場合、制御部１３は、接触状態検出部１２の各センサによる測定値と以下の計算式とに基づいて、推定値を算出してもよい。
【００２５】
θ＞０の場合
（Ｓ１２１−８’）＝（Ｓ１２１−８）×（１−ｔ）＋（Ｓ１２１−１）×ｔ  …（１）
ｔ＝θ／（３６０ｄｅｇ／分割領域数）
ここで、Ｓ１２１−８’は、仮想の第８センサ１２１−８’の推定値を表し、Ｓ１２１−８は、第８センサ１２１−８の測定値を表し、Ｓ１２１−１は、第１センサ１２１−１の測定値を表す。分割領域数とは、情報通知面ＯＳを領域に分割したときの数であり、本実施形態では８である。
【００２６】
θ＜０の場合
（Ｓ１２１−８’）＝（Ｓ１２１−８）×（１−ｔ）＋（Ｓ１２１−７）×ｔ  …（２）
ｔ＝−θ／（３６０ｄｅｇ／分割領域数）
ここで、Ｓ１２１−８’は、仮想の第８センサ１２１−８’の推定値を表し、Ｓ１２１−８は、第８センサ１２１−８の測定値を表し、Ｓ１２１−７は、第７センサ１２１−７の測定値を表す。分割領域数とは、情報通知面ＯＳを領域に分割したときの数であり、本実施形態では８である。
【００２７】
図４（ｃ）に示す例において、分割領域数は、八分割、θ＝２２．５ｄｅｇであり、制御部１３は、接触状態検出部１２の各センサによる測定値と上述の式に基づいて、次のように推定値を算出する。
【００２８】
（Ｓ１２１−８’）＝（Ｓ１２１−８）×（１−２２．５／４５）＋
（Ｓ１２１−１）×（２２．５／４５）
＝（（Ｓ１２１−８）＋（Ｓ１２１−１））／２
【００２９】
このように、接触状態検出部１２の各センサの配置位置と情報通知面ＯＳにおける各ＬＥＤの配置位置とが角度θずれるとき、制御部１３は、ＬＥＤを基準として、接触状態検出部１２の測定値に基づいて推定値を算出し、当該推定値に基づいて提示部１４１のＬＥＤを点灯または消灯させる。接触状態検出部１２が測定した測定値と制御部１３が算出した推定値（θ＝２２．５ｄｅｇ）との関係を図５に示す。
【００３０】
図５は、本発明の第１の実施形態に係る接触状態検出部１２が測定した測定値と制御部１３が算出した推定値との関係の一例を示すテーブルである。
テーブルＴ１は、図示するように、センサ名と測定値との各項目列を有する行と列からなる二次元の表形式のテーブルである。
テーブルＴ１の各行には、センサ名と当該センサ名に該当するセンサの測定値とが格納されている。なお、当該測定値は、静電容量の変化を正規化したときの測定値である。
また、テーブルＴ２は、図示するように、仮想センサ名と推定値との各項目列を有する行と列からなる二次元の表形式のテーブルである。
テーブルＴ２の各行には、図４（ｃ）の各ＬＥＤ１４１−１’、１４１−２’、１４１−３’１４１−４’、１４１−５’、１４１−６’、１４１−７’、１４１−８’に対応する仮想のセンサ名Ｓ１２１−８’、Ｓ１２１−１’、Ｓ１２１−２’、Ｓ１２１−３’、Ｓ１２１−４’、Ｓ１２１−５’、Ｓ１２１−６’、Ｓ１２１−７’と、当該仮想のセンサに対応する制御部１３が算出した推定値が格納される。
【００３１】
図４に戻って、図４（ｄ）は、接触状態検出部１２を構成するセンサの数より多く、例えば、２倍の数のＬＥＤを提示部１４１が備える場合の一例である。
制御部１３は、上述の式（１）または（２）を用いて、接触状態検出部１２の各センサが測定した測定値から推定値を算出し、測定値と算出した推定値とに基づいて提示部１４１のＬＥＤを点灯または消灯させる。
このように、制御部１３は、提示部１４１が接触状態検出部１２のセンサ数より多くのＬＥＤを有する場合であっても、使用者は、生体面Ｈ３１に生体音収集装置１における接触面ＳＭの押し当て状態を、情報通知部１４によりリアルタイムに確認することができ、接触面ＳＭの押し当て方が適切でない場合、容易に押し当て方を修正することができる。
【００３２】
図４（ｅ）は、提示部１４１がＬＥＤの点灯における階調を変化させることで押し当て状態を通知するときの一例である。
制御部１３は、測定値と段階的な閾値とを比較して、各閾値について、測定値が閾値の範囲以内か否かを判定し、判定結果と当該段階的な閾値とに応じて測定値を測定したセンサに対応する提示部１４１のＬＥＤの階調を変化させてもよい。この場合、提示部１４１は、状態情報を例えば３段階の階調で通知すればよい。
【００３３】
図４（ｆ）は、提示部１４１がＬＥＤの代わりに表示部を備える一例である。
提示部１４１は、液晶ディスプレイ、有機ＥＬディスプレイ、プラズマディスプレイなどの表示部を備え、制御部１３は、接触状態検出部１２の各センサの測定値に応じて生体面Ｈ３１に対する接触面ＳＭの押し当て方の修正指示を表すオブジェクトＯ１を表示させてもよい。このとき、提示部１４１は、非接触状態であるセンサの位置に対応する方向に、例えば矢印を表すオブジェクトＯ１を表示部に表示させ、当該オブジェクトＯ１に対応する文字列「左下に傾けてください」と、表示部に表示させ、使用者に押し当て状態を通知してもよい。
【００３４】
図６は、本発明の第１の実施形態に係る生体音収集装置１の押し当て状態提示処理の一例を示すフローチャートである。
ステップＳＴ１０１において、スイッチ部１１は、使用者の操作により「オン」を表す操作信号を制御部１３に出力する。
ステップＳＴ１０２において、制御部１３は、接触状態検出部１２および提示部１４１に生体面Ｈ３１に対する接触面ＳＭの押し当て状態の検出および当該押し当て状態の提示を開始させる。
ステップＳＴ１０３において、制御部１３は、接触面ＳＭが生体面Ｈ３１に正常に接触しているか、すなわち、状態情報が接触状態を表す情報のみであるか否かを判定する。状態情報が接触状態を表す情報のみである場合、ステップＳＴ１０４に進む。一方、状態情報が接触状態を表す情報のみでない場合、ステップＳＴ１０２に戻る。
【００３５】
ステップＳＴ１０４において、制御部１３は、集音部１５に生体音の取得・分析・再生を開始させる。
ステップＳＴ１０５において、制御部１３は、接触面ＳＭが生体面Ｈ３１に正常に接触しているか、すなわち、状態情報が接触状態を表す情報のみであるか否かを判定する。状態情報が接触状態を表す情報のみである場合、ステップＳＴ１０８に進む。一方、状態情報が接触状態を表す情報のみでない場合、ステップＳＴ１０６に進む。
ステップＳＴ１０６において、制御部１３は、集音部１５に生体音の取得・分析・再生を一時停止させる。
ステップＳＴ１０７において、制御部１３は、接触面ＳＭが生体面Ｈ３１に正常に接触しているか、すなわち、状態情報が接触状態を表す情報のみであるか否かを判定する。状態情報が接触状態を表す情報のみである場合、ステップＳＴ１０４に戻る。一方、状態情報が接触状態を表す情報のみでない場合、ステップＳＴ１０７を繰り返す。
【００３６】
ステップＳＴ１０８において、制御部１３は、生体音の取得・分析・再生に必要な所定の時間、例えば５秒間、接触面ＳＭが生体面Ｈ３１に正常に接触していたか否かを判定する。接触面ＳＭが生体面Ｈ３１に正常に接触していた場合、生体音の測定を終了し、ステップＳＴ１０９に進む。一方、接触面ＳＭが生体面Ｈ３１に正常に接触していない場合、ステップＳＴ１０５に戻る。
ステップＳＴ１０９において、制御部１３は、集音部１５に生体音の取得・分析・再生を停止させる。
ステップＳＴ１１０において、制御部１３は、接触状態検出部１２および提示部１４１に生体面Ｈ３１に対する接触面ＳＭの押し当て状態の検出および当該押し当て状態の提示を終了させる。
ステップＳＴ１１１において、制御部１３は、再度、接触面ＳＭが生体面Ｈ３１に正常に接触している否か、すなわち、状態情報が接触状態を表す情報のみであるか否かを判定する。状態情報が接触状態を表す情報のみである場合、ステップＳＴ１０４に戻り、生体音の取得・分析・再生を開始する。一方、状態情報が接触状態を表す情報のみでない場合、ステップＳＴ１１２に進む。
【００３７】
ステップＳＴ１１２において、上記測定が完了してから一定時間経過したか否かを判定する。一定時間経過した場合、ステップＳＴ１１４に進む。一方、一定時間経過していない場合、ステップＳＴ１１３に進む。
ステップＳＴ１１３において、制御部１３は、スイッチ部１１に使用者の操作により「オフ」を表す操作信号が入力されたか否かを判定する。入力された場合、ステップＳＴ１１４に進む。一方、入力されていない場合、ステップＳＴ１１１に戻る。
ステップＳＴ１１４において、制御部１３は、電源をオフにし、押し当て状態提示処理を終了する。
【００３８】
このように、本実施形態によれば、生体音収集装置１は、被験者Ｈ３の生体音を収集する集音部１５と、被験者Ｈ３の生体面Ｈ３１への接触を検出する接触状態検出部１２と、接触状態検出部１２が検出した被験者Ｈ３の生体面Ｈ３１への接触に基づいて、集音部１５に生体音を収集させるか否かを判定する制御部１３と、制御部１３が集音部１５に前記生体音を収集させないと判定した場合、接触状態検出部１２が被験者Ｈ３の生体面Ｈ３１に接触していないことを通知する情報通知部１４と、を備える。
【００３９】
これにより、使用者は、生体面Ｈ３１に対する生体音収集装置１における接触面ＳＭの押し当て状態を、情報通知部１４によりリアルタイムに確認することができ、接触面ＳＭの押し当て方が適切でない場合、容易に押し当て方を修正することができるため、被験者Ｈ３の生体音を正確に聴診することができる。
【００４０】
（第２の実施形態）
以下、図面を参照しながら本発明の第２の実施形態について詳しく説明する。
第１の実施形態では、生体音収集装置１の情報通知部１４が生体面Ｈ３１に対する接触面ＳＭの押し当て状態を視覚に対して通知する場合について説明した。本実施形態では、生体音収集装置１Ａの情報通知部１４Ａが生体面Ｈ３１に対する接触面ＳＭの押し当て状態を聴覚に対して通知する場合について説明する。
【００４１】
図７は、本発明の第２の実施形態に係る生体音収集装置１Ａの構成の一例を示す概略ブロック図である。
図３に示す第１の実施形態の生体音収集装置１の構成と、本実施形態の生体音収集装置１Ａの構成とを比較すると、指示方向設定部１７Ａが追加されている。また、情報通知部１４Ａの構成が異なる。それ以外の構成は、生体音収集装置１と同様であるので、同一の符号を付して説明を省略する。
【００４２】
指示方向設定部１７Ａは、例えば、リング状であり、生体音収集装置１Ａの情報通知面ＯＳと接触面ＳＭとの中心が当該指示方向設定部１７Ａの中心と一致し、生体音収集装置１Ａの筐体１０Ａの表面より内側に備えられる。指示方向設定部１７Ａは、リングの一部に指示方向の基準となる基準指示部を有する。指示方向設定部１７Ａは、使用者により回転させることが可能な構造で配置される。指示方向設定部１７Ａは、基準指示部の位置を表す情報を制御部１３に出力する。
【００４３】
情報通知部１４Ａは、音声情報生成部１４２Ａと、スピーカ１４３Ａと、を含んで構成される。
音声情報生成部１４２Ａは、制御部１３から入力された基準指示部の位置を表す情報と状態情報とに基づいて、非接触状態であるセンサの位置（方向）を通知する音声信号を生成する。音声情報生成部１４２Ａは、生成した音声信号を、スピーカ１４３Ａを介して、使用者に生体面Ｈ３１に対する接触面ＳＭの押し当て状態を音で通知する。
【００４４】
例えば、音声情報生成部１４２Ａは、基準指示部が位置する方向を前方として、当該前方に対応する接触状態検出部１２を構成するセンサが非接触状態である場合、「前方に傾けてください」との音声信号を生成する。また、音声情報生成部１４２Ａは、基準指示部に対して右側の方向を生体音収集装置１Ａの右として、当該右に対応する接触状態検出部１２を構成するセンサが非接触状態である場合、「右に傾けてください」との音声信号を生成する。また、音声情報生成部１４２Ａは、基準指示部の向きと反対の方向を手前として、当該手前に対応する接触状態検出部１２を構成するセンサが非接触状態である場合、「手前に傾けてください」との音声信号を生成する。また、音声情報生成部１４２Ａは、基準指示部に対して左の方向を生体音収集装置１Ａの左として、当該左に対応する接触状態検出部１２を構成するセンサが非接触状態である場合、「左に傾けてください」との音声信号を生成する。
【００４５】
なお、指示方向設定部１７Ａがリング状の一例を示し、指示方向の設定手段を説明したが、例えば、情報通知部１４Ａが第１の実施形態と同様に提示部１４１を備え、指示方向設定部１７Ａが、提示部１４１に指示方向の設定画面を表示させて、当該設定画面から指示方向の設定を受け付けてもよいし、指示方向設定部１７Ａが、提示部１４１のＬＥＤと接触状態検出部１２の各センサ１２１とを連動させて、接触状態検出部１２の接触を検出したセンサ１２１のセンサ位置に応じて、指示方向の設定を受け付けてもよい。
【００４６】
なお、第１の実施形態に係る情報通知部１４の提示部１４１と、本実施形態に係る情報通知部１４Ａの音声情報生成部１４２Ａおよびスピーカ１４３Ａと、を組み合わせて、使用者の視覚と聴覚に対して、生体面Ｈ３１に対する接触面ＳＭの押し当て状態を通知してもよい。
【００４７】
このように、本実施形態によれば、生体音収集装置１Ａは、被験者Ｈ３の生体音を収集する集音部１５と、被験者Ｈ３の生体面Ｈ３１への接触を検出する接触状態検出部１２と、接触状態検出部１２が検出した被験者Ｈ３の生体面Ｈ３１への接触に基づいて、集音部１５に生体音を収集させるか否かを判定する制御部１３と、制御部１３が集音部１５に生体音を収集させないと判定した場合、接触状態検出部１２が被験者Ｈ３の生体面Ｈ３１に接触していないことを通知する情報通知部１４Ａと、を備える。
【００４８】
これにより、使用者は、生体面Ｈ３１に対する生体音収集装置１Ａにおける接触面ＳＭの押し当て状態を、情報通知部１４Ａによりリアルタイムに確認することができ、接触面ＳＭの押し当て方が適切でない場合、容易に押し当て方を修正することができるため、被験者Ｈ３の生体音を正確に聴診することができる。また、視覚による押し当て状態の確認が困難である場合であっても、押し当て状態を聴覚に通知することができる。
【００４９】
（第３の実施形態）
以下、図面を参照しながら本発明の第３の実施形態について詳しく説明する。
第３の実施形態では、生体音収集装置１Ｂの情報通知部１４Ｂが生体面Ｈ３１に対する接触面ＳＭの押し当て状態を触覚に対して通知する場合について説明する。
図８は、本発明の第３の実施形態に係る生体音収集装置１Ｂの構成の一例を示す概略ブロック図である。
第３の実施形態における生体音収集装置１Ｂの構成と、第１の実施形態における生体音収集装置１の構成とを比較すると、情報通知部１４Ｂの構成が異なる。それ以外の構成は、第１の実施形態と同様の構成であるので、同一の符号を付して説明は省略する。
【００５０】
情報通知部１４Ｂは、アクチュエータ制御部１４４Ｂと、第１アクチュエータ１４５Ｂ−１と、第２アクチュエータ１４５Ｂ−２と、・・・、第Ｎアクチュエータ１４５Ｂ−Ｎと、を含んで構成される。
アクチュエータ制御部１４４Ｂは、第１アクチュエータ１４５Ｂ−１と、第２アクチュエータ１４５Ｂ−２と、・・・、第Ｎアクチュエータ１４５Ｂ−Ｎと、を制御する。具体的には、アクチュエータ制御部１４４Ｂは、制御部１３から入力された状態情報に基づいて、非接触状態の接触状態検出部１２のセンサに対応するアクチュエータを隆起させて、使用者に生体面Ｈ３１に対する接触面ＳＭの押し当て状態を触覚に通知する。
【００５１】
図９（ａ）は、本発明の第３の実施形態に係る生体音収集装置１Ｂを情報通知面ＯＳから見たときの上面図の一例であり、図９（ｂ）は、生体音収集装置１Ｂの側面図の一例である。
図９（ａ）において、生体音収集装置１Ｂの筐体１０Ｂの情報通知面ＯＳの周囲には、複数のアクチュエータが円形に配置されている。例えば、情報通知面ＯＳの周囲には、第１アクチュエータ１４５Ｂ−１、第２アクチュエータ１４５Ｂ−２、第３アクチュエータ１４５Ｂ−３、第４アクチュエータ１４５Ｂ−４、第５アクチュエータ１４５Ｂ−５、第６アクチュエータ１４５Ｂ−６、第７アクチュエータ１４５Ｂ−７、第８アクチュエータ
１４５Ｂ−８の八つのアクチュエータが配置される。
図９（ａ）の例では、接触状態検出部１２の第３センサ１２１−３が非接触状態であり、当該第３センサ１２１−３に対応する第３アクチュエータ１４５Ｂ−３が隆起している一例である。
【００５２】
図９（ｂ）において、生体音収集装置１Ｂの接触面ＳＭと情報通知面ＯＳとの間の筐体１０Ｂには、スイッチ部１１が配置され、当該スイッチ部１１と情報通知面ＯＳとの間に複数のアクチュエータが配置される。例えば、生体音収集装置１Ｂの筐体１０Ｂの側面には、第２アクチュエータ１４５Ｂ−２と、第３アクチュエータ１４５Ｂ−３と、第４アクチュエータ１４５Ｂ−４と、第５アクチュエータ１４５Ｂ−５と、が配置されている。
【００５３】
なお、当該アクチュエータは、接触状態検出部１２を構成するセンサの数と同数であることが好ましいが、接触状態検出部１２を構成するセンサの数とアクチュエータの数とが異なる場合であっても、図４（ｄ）に示したように、測定値と推定値とから、使用者に生体面Ｈ３１に対する接触面ＳＭの押し当て状態を通知することが可能である。
また、第１の実施形態に係る情報通知部１４の提示部１４１と、本実施形態に係る情報通知部１４Ｂのアクチュエータ制御部１４４Ｂおよび複数のアクチュエータ１４５Ｂと、を組み合わせて、使用者の視覚および触覚に対して、生体面Ｈ３１に対する接触面ＳＭの押し当て状態を通知してもよい。
【００５４】
なお、第２の実施形態に係る情報通知部１４Ａの音声情報生成部１４２Ａおよびスピーカ１４３Ａと、本実施形態に係る情報通知部１４Ｂのアクチュエータ制御部１４４Ｂおよび複数のアクチュエータ１４５Ｂと、を組み合わせて、使用者の聴覚および触覚に対して、生体面Ｈ３１に対する接触面ＳＭの押し当て状態を通知してもよい。
また、第１の実施形態に係る情報通知部１４の提示部１４１と、第２の実施形態に係る情報通知部１４Ａの音声情報生成部１４２Ａおよびスピーカ１４３Ａと、本実施形態に係る情報通知部１４Ｂのアクチュエータ制御部１４４Ｂおよび複数のアクチュエータ１４５Ｂと、を組み合わせて、使用者の視覚、聴覚および触覚に対して、生体面Ｈ３１に対する接触面ＳＭの押し当て状態を通知してもよい。
【００５５】
このように、本実施形態によれば、生体音収集装置１Ｂは、被験者Ｈ３の生体音を収集する集音部１５と、被験者Ｈ３の生体面Ｈ３１への接触を検出する接触状態検出部１２と、接触状態検出部１２が検出した被験者Ｈ３の生体面Ｈ３１への接触に基づいて、集音部１５に生体音を収集させるか否かを判定する制御部１３と、制御部１３が集音部１５に生体音を収集させないと判定した場合、接触状態検出部１２が被験者Ｈ３の生体面Ｈ３１に接触していないことを通知する情報通知部１４Ｂと、を備える。
【００５６】
これにより、使用者は、生体面Ｈ３１に生体音収集装置１Ｂにおける接触面ＳＭの押し当て状態を、情報通知部１４Ｂによりリアルタイムに確認することができ、接触面ＳＭの押し当て方が適切でない場合、容易に押し当て方を修正することができるため、被験者Ｈ３の生体音を正確に聴診することができる。また、接触面ＳＭの押し当て状態を視覚や聴覚により確認することが困難な場合であっても、当該押し当て状態を触覚で確認することができる。
【００５７】
なお、上述した各実施形態において、接触面ＳＭに集音部１５と接触状態検出部１２とが配置されると説明したが、接触状態検出部１２が集音部１５の生体面Ｈ３１に対する押し当て状態を検出できれば、集音部１５と接触状態検出部１２とが同一の面に配置されなくてもよい。
なお、上述した各実施形態において、接触状態検出部１２は、集音部１５の周縁に配置されると説明したが、集音部１５が備える振動板に影響を与えない位置、かつ、集音部１５の生体面Ｈ３１に対する押し当て状態を検出可能な位置であれば、集音部１５の周縁に配置されなくてもよい。
【００５８】
なお、上述した各実施形態において、生体音収集装置１、１Ａ、１Ｂの筐体１０、１０Ａ、１０Ｂの外部に突起する基準指示部を備え、当該基準指示部に基づいて指示方向を通知してもよい。
【００５９】
なお、上述した各実施形態において、接触状態検出部１２は、ピエゾ抵抗膜式のセンサであってもよいし、表面弾性波式のセンサであってもよいし、赤外線式のセンサであってもよいし、押し当てまたは接触を検出可能なセンサであればよい。また、制御部１３が上述の判定に用いる閾値は、接触状態検出部１２を構成する全てのセンサで同一であってもよいし、接触状態検出部１２を構成するそれぞれのセンサで異なる閾値を用いてもよい。また、集音部１５の周縁を八つの領域に分割してそれぞれの領域にセンサを配置したが、分割せずに周縁に一つのセンサを配置してもよいし、二つ以上の領域に分割してそれぞれの領域にセンサを配置してもよい。また、Ｄ／Ａ部２１は、イヤホン２の構成要素として説明したが、例えば、生体音収集装置１がＤ／Ａ部２１を含んでもよい。
【００６０】
なお、上述した各実施形態において、生体音収集装置１、１Ａ、１Ｂは、メモリを備え、集音部１５が収集した生体音に対してデータ処理部１６がデータ処理したデジタル信号を当該メモリに記憶させてもよい。
【００６１】
なお、上述した各実施形態における生体音収集装置１、１Ａ、１Ｂの一部、または全部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、生体音収集装置１、１Ａ、１Ｂに内蔵されたコンピュータシステムであって、ＯＳや周辺機器等のハードウェアを含むものとする。
【００６２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。
また上記プログラムは、前述した機能の一部を実現するためのものであっても良く、さらに前述した機能をコンピュータシステムにすでに記録されているプログラムとの組み合わせで実現できるものであっても良い。
【００６３】
また、上述した各実施形態における生体音収集装置１、１Ａ、１Ｂの一部、または全部を、ＬＳＩ（Ｌａｒｇｅ  Ｓｃａｌｅ  Ｉｎｔｅｇｒａｔｉｏｎ）等の集積回路として実現しても良い。生体音収集装置１、１Ａ、１Ｂの各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００６４】
以上、図面を参照してこの発明の各実施形態について詳しく説明してきたが、具体的な構成は上述のものに限られることはなく、この発明の要旨を逸脱しない範囲内において様々な設計変更等をすることが可能である。
【００６５】
（１）被験者の生体音を収集する集音部と、前記被験者の生体面への接触を検出する接触状態検出部と、前記接触状態検出部が検出した前記被験者の前記生体面への接触に基づいて、前記集音部に前記生体音を収集させるか否かを判定する制御部と、前記制御部が前記集音部に前記生体音を収集させないと判定した場合、前記接触状態検出部が前記被験者の前記生体面に接触していないことを通知する情報通知部と、を備えることを特徴とする生体音収集装置。
【００６６】
（２）前記接触状態検出部は、複数のセンサを含み、当該複数のセンサは、前記集音部の周縁のそれぞれ異なる箇所に配置され、前記情報通知部は、前記複数のセンサのうち、前記被験者の前記生体面への接触を検出しないセンサの箇所を通知することを特徴とする（１）に記載の生体音収集装置。
【００６７】
（３）前記情報通知部は、発光素子または表示部を備え、前記複数のセンサのうち、前記被験者の前記生体面への接触を検出しないセンサの箇所に対応する前記発光素子を発光、または前記被験者の前記生体面への接触を検出しない前記センサの箇所を前記表示部に表示させることを特徴とする（１）または（２）に記載の生体音収集装置。
【００６８】
（４）前記情報通知部が前記被験者の前記生体面への接触を検出しないセンサの箇所を通知するときの基準指示方向を決定する指示方向設定部をさらに備え、前記情報通知部は、前記指示方向設定部により決定された基準指示方向に応じて、前記複数のセンサのうち、前記被験者の前記生体面への接触を検出しないセンサの箇所を音で通知することを特徴とする（１）から（３）のいずれか一項に記載の生体音収集装置。
【００６９】
（５）前記情報通知部は、前記生体音収集装置の筐体に設けられたアクチュエータを含んで構成され、前記複数のセンサのうち、前記被験者の前記生体面への接触を検出しないセンサの箇所に対応するアクチュエータを隆起させて通知することを特徴とする（２）から（４）のいずれか一項に記載の生体音収集装置。
【符号の説明】
【００７０】
１、１Ａ、１Ｂ・・・生体音収集装置、１０、１０Ａ、１０Ｂ・・・筐体、１１・・・スイッチ部、１２・・・接触状態検出部、１２１−１・・・第１センサ、１２１−２・・・第２センサ、１２１−３・・・第３センサ、１２１−４・・・第４センサ、１２１−５・・・第５センサ、１２１−６・・・第６センサ、１２１−７・・・第７センサ、１２１−８・・・第８センサ、１２１−Ｎ・・・第Ｎセンサ、１３・・・制御部、１４、１４Ａ、１４Ｂ・・・情報通知部、１４１・・・提示部、１４２Ａ・・・音声情報生成部、１４３Ａ・・・スピーカ、１４４Ｂ・・・アクチュエータ制御部、１４５Ｂ−１・・・第１アクチュエータ、１４５Ｂ−２・・・第２アクチュエータ、１４５Ｂ−３・・・第３アクチュエータ、１４５Ｂ−４・・・第４アクチュエータ、１４５Ｂ−５・・・第５アクチュエータ、１４５Ｂ−Ｎ・・・第Ｎアクチュエータ、１５・・・集音部、１５１・・・マイク、１５２・・・Ａ／Ｄ部、１６・・・データ処理部、１７Ａ・・・指示方向設定部、２・・・イヤホン、２１・・・Ｄ／Ａ部、２２・・・スピーカ
【図１】
2015020030.tif 000003
【図２】
2015020030.tif 000004
【図３】
2015020030.tif 000005
【図４】
2015020030.tif 000006
【図５】
2015020030.tif 000007
【図６】
2015020030.tif 000008
【図７】
2015020030.tif 000009
【図８】
2015020030.tif 000010
【図９】
2015020030.tif 000011